(57)【要約】【課題】土質改良機の土質改良材投入ホッパに改良材を投入する際に、改良材がホッパの外へ飛散するのを防止できるようにする。【解決手段】改良材ホッパ（１０）の、改良材を封入した袋体（１８）が吊り降ろされる開口（２２）の内縁に、空気吸引源（３０）に連結した複数個の吸引ノズル（２８ａ）を備える。【選択図】図２
2005155214.tif 000002
【特許請求の範囲】
【請求項１】
原料土ホッパと、改良材ホッパと、それぞれに投入された原料土及び土質改良材を混合させる混合機とを備え、
該改良材ホッパが、
上方に向け開口したホッパ本体と、
この開口を通し降ろされた土質改良材の封入された袋体が当接し開封されるホッパ本体内に設けられたカッタと、
この開口の内縁に設けられた複数個の吸引ノズルと、
吸引ノズルに連結された空気吸引源と、を備えていることを特徴とする土質改良機。
【請求項２】
該吸引ノズルが、該開口の内縁に沿って配設された中空管に備えられている、請求項１記載の土質改良機。
【請求項３】
該空気吸引源の作動をオンオフするスイッチを備えている、請求項１又は２記載の土質改良機。
【請求項４】
該吸引ノズルと空気吸引源との接続を断続する開閉弁を備えている、請求項１又は２記載の土質改良機。
【発明の詳細な説明】
【技術分野】
【０００１】
本発明は、土質改良機、さらに詳しくは土質改良機に備えられる土質改良材の投入ホッパに関する。
【背景技術】
【０００２】
埋め立て作業、一般土木作業などにおいて、例えば軟弱な土質を改良し固化するために、軟弱な原料土と土質改良材としてのセメント、石灰などの固化材との混合が行われる。この混合作業は、周知の自走式の土質改良機（例えば、特許文献1参照）によって機械的に効率よく遂行される。
【０００３】
土質改良機は、原料土を投入するための原料土ホッパと、土質改良材を投入するための改良材ホッパと、投入された原料土及び土質改良材を攪拌混合させる混合機とを備えている。
【０００４】
典型的な土質改良作業における、原料土ホッパへの原料土の投入は、周知の掘削積込機械である油圧ショベルのバケットを用いて行われ、改良材ホッパへの土質改良材の投入は、改良材の封入されたフレコンバッグのような柔軟な袋体を機体に備えたクレーンを用いてホッパ内に吊り降ろし、ホッパ内に設けられた先端の尖ったカッタの上に降ろし、袋体を破き開封することにより行われる。
【０００５】
【特許文献１】特開平９−１９５２６５号公報
【発明の開示】
【発明が解決しようとする課題】
【０００６】
しかしながら、上述したとおりの形態の従来の土質改良機においては、土質改良材をホッパに投入する際に、次のとおりの解決すべき問題がある。すなわち、セメント、石灰のような粉体状の土質改良材は、袋をカッタによって破り開封し改良材ホッパ内に放出したときにホッパの周囲に飛散しやすい。さらに、ホッパの排出口につながる混合機の側からの吹き返しによっても飛散されやすい。したがって、土質改良材の飛散によって作業環境が悪化する。また、ホッパの周囲に飛散しこびり付いた改良材を取り除くための掃除作業も困難で面倒である。さらに、土質改良機の見栄えも悪くなる。
【０００７】
土質改良剤の飛散を防止するために、袋体とホッパの開口の隙間にゴムシートのようなカバーを取り付けることが行われている。しかしながら、セメント、石灰のような小さい隙間でも通り抜けやすい粉体状の改良材の飛散を防止するのは困難である。
【０００８】
本発明は上記事実に鑑みてなされたもので、その技術的課題は、土質改良機の土質改良材投入ホッパに改良材を投入する際における、改良材のホッパ外への飛散を防止できるようにした土質改良機を提供することである。
【課題を解決するための手段】
【０００９】
本発明によれば上記技術的課題を解決する土質改良機として、原料土ホッパと、改良材ホッパと、それぞれに投入された原料土及び土質改良材を混合させる混合機とを備え、該改良材ホッパが、上方に開口したホッパ本体と、この開口を通し降ろされた土質改良材の封入された袋体が当接し開封されるカッタと、この開口の内縁に設けられた複数個の吸引ノズルと、吸引ノズルに連結された空気吸引源と、を備えていることを特徴とする土質改良機が提供される。
【発明の効果】
【００１０】
本発明に従って構成された土質改良機は、土質改良材の封入された袋体が降ろされる改良材ホッパの開口の内縁に、空気吸引源に連結された吸引ノズルが備えられている。したがって、開封された袋体から放出されホッパの開口を通し外部に流出しようとする改良材は、開口に備えられた吸引ノズルによって吸引されホッパの外への飛散が防止される。
【発明を実施するための最良の形態】
【００１１】
以下、本発明に従って構成された土質改良機について、好適実施形態を図示している添付図面を参照して、さらに詳細に説明する。
【００１２】
図1を参照して説明すると、全体を番号２で示す土質改良機は、無限軌道式の走行体４と、走行体４上に取り付けられた機体フレーム６と、機体フレーム６上の略中央に取り付けられた混合機８と、混合機８の上に取り付けられた土質改良材を投入するための改良材ホッパ１０と、機体フレーム６の一端（図１の左端）側に取り付けられた原料土を投入するための原料土ホッパ１２とを備えている。改良材ホッパ１０に投入された改良材及び原料土ホッパ１２に投入された原料土は、混合機８によって攪拌混合される。  
【００１３】
機体フレーム６の他端（図１の右端）側には、原料土と土質改良材の混合土を排出するための排出コンベア１４が備えられている。土質改良機２にはまた、エンジンなどが収容された動力室１６、及び改良材が封入された袋体であるフレコンバッグ１８を吊り上げ改良材ホッパ１０内に降ろすためのクレーン２０が備えられている。図１においてクレーン２０は、フレコンバッグ１８を改良材ホッパ１０の上方に吊り下げた使用状態と機体に格納した状態の二つの位置で示されている。
【００１４】
土質改良機２において、原料土ホッパ１２、混合機８、排出コンベア１４、フレコンバッグ１８、及びクレーン２０等は、本発明の新規特徴を構成するものでなく、周知のものでよい。したがってその説明は省略する。
【００１５】
図１とともに図２〜図５を参照して改良材ホッパ１０について説明する。改良材ホッパ１０は、上方に向けた開口２２を有する直方体状のホッパ本体２４と、ホッパ本体２４内に設けられ開口２２を通して吊り降ろされたフレコンバッグ１８が当接し破られ開封されるカッタ２６と、開口２２の内縁に沿って設けられ複数個の吸引ノズル２８ａが形成された中空管２８と、ホッパ本体２４の底部外側に設けられた空気吸引源３０と、空気吸引源３０と吸引ノズル２８ａが設けられた中空管２８とを結ぶ排気ダクト３２とを備えている。
【００１６】
開口２２は矩形に形成されている。開口２２には開閉自在なカバー２３（図１）が備えられている（図２〜図４においては図示が省略されている）。
【００１７】
ホッパ本体２４内の開口２２の下方の、上下方向の略中間に差し渡された支持フレーム２５上に、カッタ２６が取り付けられている。カッタ２６は、薄鋼板で直角三角形に形成されたカッタ板４枚を、垂直辺同士を当接させ、四方に放射状に配置し、上端に鋭角の突出端を形成したものである。
【００１８】
ホッパ本体２４内の底部には、投入された改良材を混合機８（図１）につながる、ホッパ本体２４の外側の一側面に設けられた排出部３４に向けて送り出すための２連のスクリューコンベア３６が備えられている。スクリューコンベア３６の上方のカッタ２６の下方には、異物が開口２２側からスクリューコンベア３６の側に侵入するのを防止するための網であるスクリーン３８が取り付けられている。
【００１９】
ホッパ本体２４の排出部３４が設けられた一側面と反対側の他側面には、スクリューコンベア３６の駆動手段を収容し上面に作業者用のプラットフォーム４０ａが形成された箱体４０が備えられている。ホッパ本体２４の下部には、改良材ホッパ１０を混合機８上に設置するための４本の脚フレーム４２が備えられている。
【００２０】
中空管２４は、矩形の開口２２の内縁に沿って矩形に配設されている。吸引ノズル２８ａは、図５に拡大図示したように、中空管２８の管内外を貫通する丸穴によって形成されている。吸引ノズル２８ａはホッパ本体２４の内方下方に向けて開口されている。
【００２１】
排気ダクト３２は、ホッパ本体２４の箱体４０が備えられた側面に沿って上下に延びて、中空管２８と空気吸引源３０とを結んで取り付けられている。
【００２２】
空気吸引源３０は、電動モータにより駆動されるファンあるいはルーツブロワのような適宜の送風吸引手段（図示していない）を備えている。また、吸引した土質改良材を捕捉するためのフィルタあるいはサイクロンのような適宜の集塵手段（図示していない）を備えている。
【００２３】
ホッパ本体２４の側面には、空気吸引源３０の作動をオンオフするための電気のスイッチ４４が備えられている。排気ダクト３２には、吸引ノズル２８ａと空気吸引源３０との連通を断続するための開閉自在な手動の開閉弁４６が備えられている。
【００２４】
図１〜図５を参照して上述したとおりの土質改良機２の作用について説明する。
【００２５】
（１）土質改良材の投入：
土質改良材の封入されたフレコンバッグ１８をクレーン２０によって吊り下げ（図１）、改良材ホッパ１０内に開口２２を通して降ろすと、フレコンバッグ１８は、その底部がカッタ２６の先端に当接して破られ開封される。かくして、フレコンバッグ１８内の土質改良材は、改良材ホッパ１０の下方にスクリーン３８を通して落下（図２に矢印Ｙで示す）し、スクリューコンベア３６によって排出部３４に送られ、混合機８に送られる。
【００２６】
（２）土質改良材のホッパ外への飛散防止：
フレコンバッグ１８から改良材ホッパ１０内に放出され開口２２の部分から外部に流出しようとする土質改良材（図２に矢印Ｚで示す）は、吸引ノズル２８ａによって吸引され、排気ダクト３２を通り空気吸引源３０に流れる。したがって、土質改良材が、開封されたフレコンバッグ１８から放出され改良材ホッパ１０の開口２２とフレコンバッグ１８の間を通り外部へ流出、飛散するのが防止される。
【００２７】
（３）吸引空気のオンオフ：
吸引ノズル２８ａの吸引空気のオンオフは、スイッチ４４による空気吸引源３０の作動オンオフ、あるいは排気ダクト３２の開閉弁４６の開閉によって行われる。
【００２８】
以上本発明を実施の形態に基づいて詳細に説明したが、本発明は上記の実施例に限定されるものではなく、例えば下記のように、本発明の範囲内においてさまざまな変形あるいは修正ができるものである。
【００２９】
本実施例においては、改良材ホッパ１０の開口２２は矩形に形成されているが、開口の形状は必ずしも矩形である必要はなく、袋体１８の大きさ、形状などに合わせて適宜の形状、例えば円形でよい。
【００３０】
本実施例においては、吸引ノズル２８ａは吸引管２８に貫通穴を設けることによって形成されたが、適宜の吸引ノズルを複数個開口２２の内縁に設けてもよい。
【００３１】
本実施例においては、吸引ノズル２８ａの吸引空気をオンオフする手段として、スイッチ４４及び開閉弁４６が備えられているが、いずれか一方だけでもよい。
【図面の簡単な説明】
【００３２】
【図１】本発明に従って構成された土質改良機の側面図。
【図２】図１の土質改良機に備えられた改良材ホッパを一部断面して示した拡大側面図。
【図３】図２のＡ−Ａ矢印方向に見た改良材ホッパの上面図。
【図４】図２のＢ−Ｂ矢印方向に見た改良材ホッパの正面図。
【図５】図２にＣで示した吸引ノズル部分の拡大図。
【符号の説明】
【００３３】
２：土質改良機
８：混合機
１０：改良材ホッパ
１２：原料土ホッパ
１８：フレコンバッグ（袋体）
２２：開口
２４：ホッパ本体
２６：カッタ
２８：中空管
２８ａ：吸引ノズル
３０：空気吸引源
４４：スイッチ
４６：開閉弁
【図１】
2005155214.tif 000003
【図２】
2005155214.tif 000004
【図３】
2005155214.tif 000005
【図４】
2005155214.tif 000006
【図５】
2005155214.tif 000007